(57)【特許請求の範囲】
【請求項１】
出入口に設けられるドア装置と、
操作されることにより認証情報が入力される認証情報入力装置と、
前記認証情報入力装置に入力された前記認証情報を用いて、前記出入口の通行の可否を判定する一次照合および前記一次照合で前記出入口の通行が許可されていると判定した後に、前記認証情報入力装置に再度入力された前記認証情報と前記一次照合で用いられた前記認証情報とが一致するか否かを判定する二次照合を行う通行可否判定装置と、
前記出入口を撮影することにより、または、前記出入口で発せられる音声が入力されることにより、前記出入口を通行する通行者を特定する通行者特定情報を取得する特定情報取得装置と、
前記特定情報取得装置により取得された前記通行者特定情報を記録する特定情報記録装置と、
前記特定情報取得装置による前記通行者特定情報の取得が可能であるか否かを判定する特定情報取得可能判定装置と、
前記ドア装置を制御するドア装置用制御装置と
を備え、
前記特定情報取得可能判定装置は、前記通行可否判定装置が前記一次照合で前記出入口の通行が許可されていると判定する場合に、前記通行者特定情報の取得が可能であるか否かを判定し、
前記通行可否判定装置は、前記特定情報取得可能判定装置が前記通行者特定情報の取得が可能であると判定する場合に、前記認証情報入力装置に再度入力された前記認証情報と前記一次照合で用いられた前記認証情報とが一致するか否かを判定し、
前記ドア装置用制御装置は、前記通行可否判定装置が前記認証情報入力装置に再度入力された前記認証情報と前記一次照合で用いられた前記認証情報とが一致すると判定する場合に、前記出入口が通行可能となるように前記ドア装置を制御することを特徴とする入退室管理装置。
【発明の詳細な説明】
【技術分野】
【０００１】
この発明は、出入口を通行する通行者を管理する入退室管理装置に関する。
【背景技術】
【０００２】
従来、出入口を開閉するドアに設けられ、ドアを施錠する施錠位置とドアを開錠する開錠位置との間で変位する電気錠と、操作者が所持する非接触カードから認証情報が入力される非接触カードリーダと、非接触カードリーダに入力された認証情報を用いて、出入口について操作者の通行が許可されているか否かを判定し、判定結果に基づいて、電気錠を変位させるコントローラと、出入口を撮影する撮影装置とを備えた入退室管理装置が知られている。撮影装置が出入口を撮影するので、出入口を通行する通行者の映像が記録される。これにより、非接触カードリーダに認証情報を入力した通行者が出入口を通行し、さらに、その通行者の後ろに連なって他の通行者が非接触カードリーダに認証情報を入力することなく出入口を通行する場合であっても、各通行者の映像が記録される。つまり、非接触カードリーダに認証情報を入力せずに出入口を通行する通行者の通行者特定情報が記録される（例えば、特許文献１参照）。
【先行技術文献】
【特許文献】
【０００３】
【特許文献１】特開２０１１−１４１６１４号公報
【発明の概要】
【発明が解決しようとする課題】
【０００４】
しかしながら、例えば、撮影装置のカメラの向きが自動的に変更されて、出入口だけでなく、室内の他の領域も巡回して撮影するようになっており、通行者が非接触カードリーダに認証情報を入力する時に、撮影装置のカメラが出入口を向いていない場合には、非接触カードリーダに認証情報を入力した通行者の後ろに連なって他の通行者が非接触カードリーダに認証情報を入力することなく出入口を通行すると、カメラが出入口向くまでの移動時間、非接触カードリーダに認証情報を入力せずに出入口を通行する通行者の通行者特定情報を記録することができないという問題点があった。また、室内が真暗な状態で、出入口が開くと、室外から出入口を通って室内に差し込む光により、カメラがハレーションを起こし、この間にカメラに撮影された画像には、出入口を通行する通行者の通行者特定情報が含まれないので、出入口を通行する通行者の通行者特定情報を記録することができないという問題点があった。
【０００５】
この発明は、出入口を通行する通行者を特定する通行者特定情報を確実に記録することができる入退室管理装置を提供するものである。
【課題を解決するための手段】
【０００６】
この発明に係る入退室管理装置は、出入口に設けられるドア装置と、操作されることにより認証情報が入力される認証情報入力装置と、前記認証情報入力装置に入力された前記認証情報を用いて、前記出入口の通行の可否を判定する一次照合および前記一次照合で前記出入口の通行が許可されていると判定した後に、前記認証情報入力装置に再度入力された前記認証情報と前記一次照合で用いられた前記認証情報とが一致するか否かを判定する二次照合を行う通行可否判定装置と、前記出入口を撮影することにより、または、前記出入口で発せられる音声が入力されることにより、前記出入口を通行する通行者を特定する通行者特定情報を取得する特定情報取得装置と、前記特定情報取得装置により取得された前記通行者特定情報を記録する特定情報記録装置と、前記特定情報取得装置による前記通行者特定情報の取得が可能であるか否かを判定する特定情報取得可能判定装置と、前記ドア装置を制御するドア装置用制御装置とを備え、前記特定情報取得可能判定装置は、前記通行可否判定装置が前記一次照合で前記出入口の通行が許可されていると判定する場合に、前記通行者特定情報の取得が可能であるか否かを判定し、前記通行可否判定装置は、前記特定情報取得可能判定装置が前記通行者特定情報の取得が可能であると判定する場合に、前記認証情報入力装置に再度入力された前記認証情報と前記一次照合で用いられた前記認証情報とが一致するか否かを判定し、前記ドア装置用制御装置は、前記通行可否判定装置が前記認証情報入力装置に再度入力された前記認証情報と前記一次照合で用いられた前記認証情報とが一致すると判定する場合に、前記出入口が通行可能となるように前記ドア装置を制御する。
【発明の効果】
【０００７】
この発明に係る入退室管理装置によれば、出入口に設けられるドア装置と、操作されることにより認証情報が入力される認証情報入力装置と、認証情報入力装置に入力された認証情報を用いて、出入口の通行の可否を判定する通行可否判定装置と、出入口を撮影することにより、または、出入口で発せられる音声が入力されることにより、出入口を通行する通行者を特定する通行者特定情報を取得する特定情報取得装置と、特定情報取得装置により取得された通行者特定情報を記録する特定情報記録装置と、特定情報取得装置による通行者特定情報の取得が可能であるか否かを判定する特定情報取得可能判定装置と、出入口の通行が許可されていると通行可否判定装置が判定し、かつ、特定情報取得装置による通行者特定情報の取得が可能であると特定情報取得可能判定装置が判定する場合に、出入口が通行可能となるようにドア装置を制御するドア装置用制御装置とを備えているので、出入口の通行が許可され、さらに、特定情報取得装置による通行者特定情報の取得が可能である場合に、出入口が通行可能となるようにドア装置が制御される。これにより、出入口を通行する通行者を特定する通行者特定情報を確実に記録することができる。
【図面の簡単な説明】
【０００８】
【図１】この発明の実施の形態１に係る入退室管理装置を示す構成図である。
【図２】図１の入退室管理装置を示すブロック図である。
【図３】図２の入退室管理装置の動作を示すフローチャートである。
【発明を実施するための形態】
【０００９】
実施の形態１．
図１はこの発明の実施の形態１に係る入退室管理装置を示す構成図である。図において、入退室管理装置は、サーバールーム１の出入口１１に設けられたドア装置２と、サーバールーム１内を撮影する撮影装置３と、サーバールーム１の外側に設けられ、操作されることにより認証情報が入力される非接触カードリーダ４と、ドア装置２を制御するコントローラ５とを備えている。
【００１０】
図２は図１の入退室管理装置を示すブロック図である。ドア装置２は、出入口１１（図１）を閉じる閉位置と出入口１１が開く開位置との間で変位するドア本体２１と、ドア本体２１を施錠する施錠位置とドア本体２１が開錠される開錠位置との間で変位する電気錠２２とを有している。電気錠２２の位置が開錠位置である場合に、通行者は、ドア本体２１を開位置に変位させることができる。つまり、電気錠２２の位置が開錠位置である場合に、出入口１１が通行可能となる。
【００１１】
撮影装置３は、カメラ装置（通行者特定情報取得装置）３１と、カメラ装置３１により撮影された映像を記録する特定情報記録装置３２とを有している。カメラ装置３１は、カメラ本体３１１と、カメラ本体３１１を支持するとともに、カメラ本体３１１の向きを変更する方向変更装置３１２とを有している。カメラ本体３１１の向きは、方向変更装置３１２の動作により変化するようになっている。カメラ本体３１１は、出入口１１を撮影したり、サーバールーム１内の他の領域を撮影したりするようになっている。
【００１２】
カメラ本体３１１は、カメラ本体３１１が出入口１１を向いている場合に、出入口１１を撮影する。通行者が出入口１１を通行する場合に、出入口１１を撮影するカメラ本体３１１の映像には、通行者の顔や衣服の情報など、通行者を特定する通行者特定情報が含まれる。つまり、カメラ装置３１は、カメラ本体３１１が出入口１１を向いている場合に、出入口１１を通行する通行者の通行者特定情報を取得可能となる。
【００１３】
非接触カードリーダ４は、無線通信により非接触カード６から認証情報が入力される認証情報入力装置４１と、非接触カードリーダ４を操作する操作者に対して、アナウンスを行うスピーカ装置４２と、コントローラ５との間で通信を行うＩ／Ｆ４３とを有している。
【００１４】
コントローラ５は、認証情報入力装置４１に入力された認証情報を用いて出入口１１の通行の可否を判定する通行可否判定装置５１と、カメラ装置３１を制御するカメラ装置用制御装置（特定情報取得装置用制御装置）５２と、カメラ装置３１による通行者特定情報の取得が可能であるか否かを判定する特定情報取得可能判定装置５３と、電気錠２２を制御する電気錠用制御装置（ドア装置用制御装置）５４と、非接触カードリーダ４との間で通信を行うＩ／Ｆ５５とを有している。
【００１５】
通行可否判定装置５１は、出入口１１の通行が許可されている認証情報を予め記憶する記憶装置（図示せず）を含んでいる。通行可否判定装置５１は、認証情報入力装置４１に入力された認証情報と、記憶装置に予め記憶されている認証情報とが一致する場合には、出入口１１の通行が許可されていると判定する。一方、通行可否判定装置５１は、認証情報入力装置４１に入力された認証情報と、記憶装置に予め記憶されている認証情報とが一致しない場合には、出入口１１の通行が許可されていないと判定する。
【００１６】
認証情報入力装置４１に入力された認証情報を用いて出入口１１の通行が許可されているか否かを通行可否判定装置５１が判定することを、この例では、一次照合という。通行可否判定装置５１は、一次照合の結果、認証情報入力装置４１に入力された認証情報を用いて出入口１１の通行が許可されていると判定する場合に、出入口１１の通行が許可されていることを示す通行許可信号をカメラ装置用制御装置５２に入力する。また、通行可否判定装置５１は、一次照合の結果、認証情報入力装置４１に入力された認証情報を用いて出入口１１の通行が許可されていると判定する場合に、一次照合中である旨をスピーカ装置４２にアナウンスさせる。また、通行可否判定装置５１は、一次照合の結果、認証情報入力装置４１に入力された認証情報を用いて出入口１１の通行が許可されていると判定する場合に、認証情報入力装置４１に入力された認証情報を記憶する。
【００１７】
通行可否判定装置５１は、認証情報入力装置４１に入力された認証情報を用いて出入口１１の通行が許可されていると判定した一次照合の後に、認証情報入力装置４１に認証情報が再度入力された場合、一次照合の後に認証情報入力装置４１に再度入力された認証情報と、一次照合で用いられた認証情報とが一致するか否かを判定する。一次照合の後に認証情報入力装置４１に再度入力された認証情報と、一次照合で用いられた認証情報とが一致するか否かを通行可否判定装置５１が判定することを、この例では、二次照合という。通行可否判定装置５１は、二次照合の結果、一次照合の後に認証情報入力装置４１に再度入力された認証情報と、一次照合で用いられた認証情報とが一致すると判定する場合に、認証情報入力装置４１に再度入力された認証情報と一次照合で用いられた認証情報とが一致することを示す認証情報一致信号を電気錠用制御装置５４に入力する。
【００１８】
カメラ装置用制御装置５２は、通行可否判定装置５１から通行許可信号が入力されることにより、カメラ本体３１１が出入口１１を向くようにカメラ装置３１を制御する。具体的には、カメラ本体３１１が出入口１１を向くように、方向変更装置３１２を制御する。これにより、カメラ装置３１は、出入口１１を通行する通行者の通行者特定情報を取得可能となる。方向変更装置３１２は、カメラ本体３１１が向く方向についての情報を特定情報取得可能判定装置５３に送る。
【００１９】
特定情報取得可能判定装置５３は、方向変更装置３１２から入力されるカメラ本体３１１が向く方向についての情報に基づいて、カメラ装置３１が出入口１１を通行する通行者の通行者特定情報を取得可能であるか否かを判定する。特定情報取得可能判定装置５３は、カメラ装置３１が出入口１１を通行する通行者の通行者特定情報を取得可能であると判定する場合に、カメラ装置３１が通行者の通行者特定情報を取得可能であることを示す通行者特定情報取得可能信号を電気錠用制御装置５４に入力する。また、特定情報取得可能判定装置５３は、カメラ装置３１が通行者の通行者特定情報を取得可能であると判定する場合に、二次照合のために認証情報を再度入力することが必要である旨をスピーカ装置４２にアナウンスさせる。
【００２０】
電気錠用制御装置５４は、特定情報取得可能判定装置５３から入力される通行者特定情報取得可能信号および通行可否判定装置５１から入力される認証情報一致信号に基づいて、電気錠２２を制御する。具体的には、特定情報取得可能判定装置５３から通行者特定情報取得可能信号が入力され、かつ、通行可否判定装置５１から認証情報一致信号が入力された場合に、所定の時間だけ、電気錠２２を開錠位置に変位させる。
【００２１】
次に、この入退室管理装置の動作について説明する。図３は図２の入退室管理装置の動作を示すフローチャートである。まず、認証情報入力装置４１は、認証情報入力装置４１への認証情報の入力（認証情報入力工程）が行われたか否かを判定する（ステップＳ１０１）。ステップＳ１０１で、認証情報入力装置４１に認証情報が入力されていないと認証情報入力装置４１が判定すると、非接触カード６による非接触カードリーダ４の操作が行われていないので、ステップＳ１０１が繰り返される。
【００２２】
一方、ステップＳ１０１で、認証情報入力装置４１に認証情報が入力されたと認証情報入力装置４１が判定すると、認証情報入力装置４１は、入力された認証情報を通行可否判定装置５１に送り、通行可否判定装置５１は、入力された認証情報を用いて出入口１１の通行の可否についての判定（通行可否判定工程）を行う（ステップＳ１０２）。ステップＳ１０２で、出入口１１の通行が許可されていないと通行可否判定装置５１が判定すると、入力された認証情報は出入口１１の通行が許可されていないので、入退室管理装置の動作は、そのまま終了する。
【００２３】
一方、ステップＳ１０２で、出入口１１の通行が許可されていると通行可否判定装置５１が判定すると、スピーカ装置４２は、一次照合中である旨のアナウンスを開始する（ステップＳ１０３）。その後、通行可否判定装置５１が通行許可信号をカメラ装置用制御装置５２に入力し、カメラ装置用制御装置５２は、カメラ本体３１１が出入口１１を向くようにカメラ装置３１の制御を開始する（ステップＳ１０４）。
【００２４】
その後、特定情報取得可能判定装置５３は、カメラ装置３１が出入口１１を通行する通行者の通行者特定情報を取得可能であるか否かについての判定（特定情報取得可能判定工程）を行う（ステップＳ１０５）。ステップＳ１０５で、カメラ装置３１が出入口１１を通行する通行者の通行者特定情報を取得可能ではないと特定情報取得可能判定装置５３が判定すると、通行可否判定装置５１は、通行許可信号をカメラ装置用制御装置５２に入力してから所定の時間が経過したか否かを判定する（ステップＳ１０６）。ステップＳ１０６で、所定の時間が経過していないと通行可否判定装置５１が判定すると、ステップＳ１０５に戻る。
【００２５】
ステップＳ１０６で、所定の時間が経過したと通行可否判定装置５１が判定すると、スピーカ装置４２は、一次照合中である旨のアナウンスを停止し（ステップＳ１０７）、コントローラ５は、警報出力を行う（ステップＳ１０８）。その後、入退室管理装置の動作は、そのまま終了する。
【００２６】
一方、ステップＳ１０５で、カメラ装置３１が出入口１１を通行する通行者の通行者特定情報を取得可能であると特定情報取得可能判定装置５３が判定すると、スピーカ装置４２は、二次照合のために認証情報を再度入力することが必要である旨をアナウンスする（ステップＳ１０９）。
【００２７】
その後、通行可否判定装置５１は、二次照合のために認証情報を再度入力することが必要である旨のアナウンスを行ってから所定の時間が経過したか否かを判定する（ステップＳ１１０）。ステップＳ１１０で、所定の時間が経過したと通行可否判定装置５１が判定すると、入退室管理装置の動作は、そのまま終了する。
【００２８】
一方、ステップＳ１１０で、所定の時間がまだ経過していないと通行可否判定装置５１が判定すると、認証情報入力装置４１は、認証情報入力装置４１に認証情報が再度入力されたか否かを判定する（ステップＳ１１１）。ステップＳ１１１で、認証情報入力装置４１に認証情報が入力されていないと認証情報入力装置４１が判定すると、ステップＳ１１０に戻る。
【００２９】
一方、ステップＳ１１１で、認証情報入力装置４１に認証情報が入力されたと認証情報入力装置４１が判定すると、認証情報入力装置４１は、入力された認証情報を通行可否判定装置５１に送り、通行可否判定装置５１は、一次照合の後に認証情報入力装置４１に再度入力された認証情報と、一次照合で用いられた認証情報とが一致するか否かを判定する（ステップＳ１１２）。ステップＳ１１２で、一次照合の後に認証情報入力装置４１に再度入力された認証情報と、一次照合で用いられた認証情報とが一致しないと通行可否判定装置５１が判定すると、ステップＳ１１０に戻る。
【００３０】
一方、ステップＳ１１２で、一次照合の後に認証情報入力装置４１に再度入力された認証情報と、一次照合で用いられた認証情報とが一致すると通行可否判定装置５１が判定すると、電気錠用制御装置５４は、電気錠２２を開錠位置に変位させる（ドア装置用制御工程）（ステップＳ１１３）。
【００３１】
その後、カメラ装置３１は、出入口１１を撮影することにより、出入口１１を通行する通行者の通行者特定情報と取得し（特定情報取得工程）、特定情報記録装置３２は、カメラ装置３１が取得した通行者特定情報を記録する（特定情報記録工程）。以上により、入退室管理装置の動作が終了する。
【００３２】
以上説明したように、この発明の実施の形態１に係る入退室管理装置によれば、出入口１１に設けられるドア装置２と、操作されることにより認証情報が入力される認証情報入力装置４１と、認証情報入力装置４１に入力された認証情報を用いて、出入口１１の通行の可否を判定する通行可否判定装置５１と、出入口１１を撮影することにより、出入口１１を通行する通行者を特定する通行者特定情報を取得するカメラ装置３１と、カメラ装置３１により取得された通行者特定情報を記録する特定情報記録装置３２と、カメラ装置３１による通行者特定情報の取得が可能であるか否かを判定する特定情報取得可能判定装置５３と、出入口１１の通行が許可されていると通行可否判定装置５１が判定し、かつ、カメラ装置３１による通行者特定情報の取得が可能であると特定情報取得可能判定装置５３が判定する場合に、出入口１１が通行可能となるように電気錠２２を制御する電気錠用制御装置５４とを備えているので、出入口１１の通行が許可され、さらに、カメラ装置３１による通行者特定情報の取得が可能である場合に、出入口１１が通行可能となるように電気錠２２が制御される。これにより、出入口１１を通行する通行者を特定する通行者特定情報を確実に記録することができる
【００３３】
また、この入退室管理装置は、出入口１１の通行が許可されていると通行可否判定装置５１が判定する場合に、通行者特定情報が取得可能となるようにカメラ装置３１を制御するカメラ装置用制御装置５２をさらに備えているので、出入口１１の通行が許可されていると通行可否判定装置５１が判定する場合に、カメラ装置３１を通行者特定情報が取得可能にすることができる。
【００３４】
また、この発明の実施の形態１に係る入退室管理方法によれば、操作されることにより認証情報が入力される認証情報入力工程と、入力された認証情報を用いて、出入口１１の通行の可否を判定する通行可否判定工程と、出入口１１を撮影することにより、出入口１１を通行する通行者を特定する通行者特定情報を取得する特定情報取得工程と、特定情報取得工程により取得された通行者特定情報を記録する特定情報記録工程と、特定情報取得工程の前に、通行者特定情報の取得が可能であるか否かを判定する特定情報取得可能判定工程と、通行可否判定工程で出入口１１の通行が許可されていると判定され、かつ、特定情報取得可能判定工程で通行者特定情報の取得が可能であると判定された後に、出入口１１が通行可能となるように電気錠２２を制御するドア装置用制御工程とを備えているので、出入口１１の通行が許可され、さらに、通行者特定情報の取得が可能である場合に、出入口１１が通行可能となるように電気錠２２が制御される。これにより、出入口１１を通行する通行者を特定する通行者特定情報を確実に記録することができる。
【００３５】
なお、上記実施の形態１では、特定情報取得装置として、出入口１１を撮影するカメラ装置３１を例に説明したが、出入口１１に発生する音声が入力されるマイクであってもよい。マイクに入力される出入口１１の音声には、通行者の声の情報など、通行者を特定する通行者特定情報が含まれる。つまり、マイクに音声が入力可能な状態となっている場合に、出入口１１を通行する通行者を特定する通行者特定情報を取得可能となる。特定情報取得装置としてマイクを用いる場合、特定情報取得可能判定装置５３は、マイクに音声が入力可能な状態となっている場合に、通行者特定情報の取得が可能であると判定する。
【００３６】
また、上記実施の形態１では、カメラ本体３１１が出入口１１を向く場合に、特定情報取得可能判定装置５３が通行者特定情報の取得が可能であると判定する構成について説明したが、撮影装置３が室内を照明する照明装置をさら有し、照明装置が点灯し、さらに、カメラ本体３１１により撮影される映像が、通行者を特定できる程度に鮮明となる場合に、特定情報取得可能判定装置５３が通行者特定情報の取得が可能であると判定する構成であってもよい。この場合、通行者を特定できる程度に鮮明な映像をカメラ本体３１１が撮影するためには、例えば、カメラ本体３１１のズームやフォーカスの調整を行うようにして、調整が終了した場合に、特定情報取得可能判定装置５３が通行者特定情報の取得が可能であると判定してもよい。また、特定情報取得可能判定装置５３は、カメラ本体３１１に画像が入力可能な状態、つまり、カメラ本体３１１による撮影が行われている状態の場合に、通行者特定情報の取得が可能であると判定してもよい。
【００３７】
また、上記実施の形態１では、ドア本体２１と電気錠２２とを有したドア装置２の構成について説明したが、ドア本体２１とドア本体２１を変位させる変位装置とを有した自動ドアからなるドア装置２であってもよい。
【００３８】
また、上記実施の形態１では、一次照合の後に認証情報入力装置４１に再度入力された認証情報と、一次照合で用いられた認証情報とが一致するか否かを通行可否判定装置５１が判定する構成について説明したが、この判定を行わない構成であってもよい。
【００３９】
また、上記実施の形態１では、カメラ装置用制御装置５２および特定情報取得可能判定装置５３がコントローラ５に含まれる構成について説明したが、カメラ装置用制御装置５２および特定情報取得可能判定装置５３が撮影装置３に含まれる構成であってもよい。
【００４０】
また、上記実施の形態１では、出入口１１の通行が許可されていると通行可否判定装置５１が判定し、かつ、カメラ装置３１による通行者特定情報の取得が可能であると特定情報取得可能判定装置５３が判定する場合に、出入口１１が通行可能となるようにドア装置を制御する構成について説明したが、特定情報記録装置３２による通行者特定情報の記録が可能であるか否かを判定する特定情報記録可能判定装置をさらに備え、出入口１１の通行が許可されていると通行可否判定装置５１が判定し、カメラ装置３１による通行者特定情報の取得が可能であると特定情報取得可能判定装置５３が判定し、かつ、特定情報記録装置３２による通行者特定情報の記録が可能であると特定情報記録可能判定装置が判定する場合に、出入口１１が通行可能となるようにドア装置２を制御する構成であってもよい。また、カメラ装置３１による通行者特定情報の取得が可能である状態の場合には、特定情報取得可能判定装置５３による判定を行うことなく、出入口１１の通行が許可されていると通行可否判定装置５１が判定し、特定情報記録装置３２による通行者特定情報の記録が可能であると特定情報記録可能判定装置が判定する場合に、出入口１１が通行可能となるようにドア装置２を制御する構成であってもよい。
【００４１】
また、上記実施の形態１では、無線通信により非接触カード６から認証情報が入力される認証情報入力装置４１について説明したが、これに限らず、例えば、通行者の指などから指紋情報などの認証情報が入力される認証情報入力装置であってもよい。
【００４２】
また、上記実施の形態１では、非接触カードリーダ４がスピーカ装置４２を有し、スピーカ装置４２が、一次照合中である旨をアナウンスしたり、二次照合のために認証情報を再度入力することが必要である旨をアナウンスしたりする構成について説明したが、これに限らず、例えば、非接触カードリーダ４がブザーやＬＥＤなどの表示装置を有し、ブザーが状況に対応して音を発生したり、表示装置が状況に対応して表示したりする構成であってもよい。
【符号の説明】
【００４３】
１  サーバールーム、２  ドア装置、３  撮影装置、４  非接触カードリーダ、５  コントローラ、６  非接触カード、１１  出入口、２１  ドア本体、２２  電気錠、３１  カメラ装置（特定情報取得装置）、３２  特定情報記録装置、４１  認証情報入力装置、４２  スピーカ装置、４３  Ｉ／Ｆ、５１  通行可否判定装置、５２  カメラ装置用制御装置（特定情報取得装置用制御装置）、５３  特定情報取得可能判定装置、５４  電気錠用制御装置（ドア装置用制御装置）、５５  Ｉ／Ｆ、３１１  カメラ本体、３１２  方向変更装置。
【図１】
0005984171.tif 000002
【図２】
0005984171.tif 000003
【図３】
0005984171.tif 000004